(57)【要約】【課題】ドクターチェアーが患者の頭部のまわりを容易に移動でき、更には、ドクターチェアーの移動に追従してインスツルメントホルダーも一緒に移動するようにして、いつでも、該インスツルメントホルダーら所望のインスツルメントを取り出せるようにする。【解決手段】歯科治療椅子１の基台１１から水平に延長する支持アーム１２と、該支持アーム１２の先端部を回動自在に支持する回動支持機構１４を中心として回転するドクターチェアー１３とからなる。前記回転中心は、前記歯科治療椅子１を寝状態にした時の安頭台８の位置であり、前記ドクターチェアー１３は、前記安頭台８を中心にドクターが歯科治療をしやすい半径で回動可能である。【選択図】        図１
2004188041.tif 000002
【特許請求の範囲】
【請求項１】
歯科治療椅子の基台から水平に延長する支持アームと、該支持アームの先端部に該先端部を中心として回転するドクターチェアーとから成り、前記回転中心は、前記歯科治療椅子を寝状態にした時の安頭台の位置であり、前記ドクターチェアーは、前記安頭台を中心にドクターが歯科治療をしやすい半径で回動可能であることを特徴とする歯科用ドクターチェアー。
【請求項２】
前記ドクターチェアーの支柱には、ドクター用インスツルメントホルダーが回動自在に取り付けられていることを特徴とする請求項１に記載の歯科用ドクターチェアー。
【請求項３】
前記ドクター用のインスツルメントホルダーは、インスツルメントの先端（刃物側）がドクターから遠い方を向くように載置するものであることを特徴とする請求項２に記載の歯科用ドクターチェアー。
【請求項４】
前記ドクター用インスツルメントホルダーは、インスツルメントの先端を下向きにして懸架するものであることを特徴とする請求項２に記載の歯科用ドクターチェアー。
【請求項５】
前記ドクターチェアーの支柱には、アシスタント用インスツルメントホルダーが回動自在に取り付けられていることを特徴とする請求項１乃至４のいずれかに記載の歯科用ドクターチェアー。
【請求項６】
前記支持アームの先端部において、前記ドクターチェアーを回動自在に支持する回動機構は、前記ドクターチェアーに荷重がかかっていない時は、回動をロックし、荷重がかかった時に該ロックを解除して回動可能となるものであることを特徴とする請求項１乃至５のいずれかに記載の歯科用ドクターチェアー。
【発明の詳細な説明】
【０００１】
【発明の属する技術分野】
本発明は、歯科用ドクターチェアー、より詳細には、術者が椅子に座ったままの状態で、患者の頭部のまわりで（歯科治療は、患者の口腔内を治療対象とするものであるから、治療は、治療椅子を寝状態にし、術者は、患者の口腔を中心にし、その周りで治療を行う）、容易に移動（回動）できるようにした歯科治療用ドクターチェアーに関する。
【０００２】
【従来の技術】
図５は、本発明が適用される歯科治療ユニットの一例を示す全体構成図で、図中、１０は歯科治療ユニットで、該ユニット１０は、治療椅子１、ワークテーブル２、スピットン３、給排水ボックス４、インスツルメントホルダー５、アシスタントインスツルメントホルダー６等から成り、インスツルメントホルダー５には、歯科治療において術者が使用する種々のインスツルメント７が収納されており、周知のように、歯科治療に当り、患者は椅子１に座り、頭を安頭台８に固定して治療を受ける。治療中、術者は治療椅子１を上下動、倒起動、傾斜動等させて、患者を治療しやすい姿勢にして治療を行う。
【０００３】
上述のごとき歯科治療ユニットにおいて、治療時、椅子１を倒状態にし、患者は寝状態で治療を受けるが、その際、術者は、患者の頭部（口腔部）のまわり（９にて示す領域）で、キャスター付のドクター用チェアーに座って歯科治療を行う。すなわち、患者の頭部の後方或いは側方で治療を行う。
【０００４】
【発明が解決しようとする課題】
上述のように、歯科治療においては、治療時、椅子１を寝（倒）状態にし、その状態で患者の後側或いは側方から治療を行う。そのため、術者は、ドクターチェアーに座ったままの状態で、患者の後方と側方の間で頻繁に移動を行うが、従来のキャスター付のドクターチェアーでは、その移動が大変であり、特に、施術中に、患部が見にくい位置になってしまった時など、チェアーの位置を微調整しなければならず、その位置調整が大変であった。
【０００５】
また、術者は、施術に当り、ドクターチェアーに座ったままの状態で患者の頭部のまわりを頻繁に移動するが、その際、術者の移動につれてインスツルメントホルダー５も移動しないと、インスツルメントホルダー５と離れてしまい、所望のインスツルメントを取るために、再度、椅子（ドクターチェアー）を移動しなければならず、必ずしも、作業効率が良いものではなかった。
【０００６】
本発明は、上述のごとき実情に鑑みてなされたもので、ドクターチェアーが患者の頭部のまわりを容易に移動でき、更には、ドクターチェアーの移動に追従してインスツルメントホルダーも一緒に移動するようにして、いつでも、該インスツルメントホルダーから所望のインスツルメントを取り出せるようにすることを目的としてなされたものである。
【０００７】
【課題を解決するための手段】
請求項１の発明は、歯科治療椅子の基台から水平に延長する支持アームと、該支持アームの先端部に該先端部を中心として回転するドクターチェアーとから成り、前記回転中心は、前記歯科治療椅子を寝状態にした時の安頭台の位置であり、前記ドクターチェアーは、前記安頭台を中心にドクターが歯科治療をしやすい半径で回動可能であることを特徴としたものである。
【０００８】
請求項２の発明は、請求項１の発明において、前記ドクターチェアーの支柱には、ドクター用インスツルメントホルダーが回動自在に取り付けられていることを特徴としたものである。
【０００９】
請求項３の発明は、請求項２の発明において、前記ドクター用のインスツルメントホルダーは、インスツルメントの先端（刃物側）がドクターから遠い方を向くように載置するものであることを特徴としたものである。
【００１０】
請求項４の発明は、請求項２の発明において、前記ドクター用インスツルメントホルダーは、インスツルメントの先端を下向きにして懸架するものであることを特徴としたものである。
【００１１】
請求項５の発明は、請求項１乃至４のいずれかの発明において、前記ドクターチェアーの支柱には、アシスタント用インスツルメントホルダーが回動自在に取り付けられていることを特徴としたものである。
【００１２】
請求項６の発明は、請求項１乃至５のいずれかの発明において、前記支持アームの先端部において、前記ドクターチェアーを回動自在に支持する回動機構は、前記ドクターチェアーに荷重がかかっていない時は、回動をロックし、荷重がかかった時に該ロックを解除して回動可能となるものであることを特徴としたものである。
【００１３】
【発明の実施の形態】
図１は、本発明によるドクターチェアーの一実施例を説明するための構成図、図２はドクターチェアー部の拡大図で、図中、１は歯科治療椅子、１１は該歯科治療椅子１の基台、１２は該基台１１から水平に略安頭台８の下まで延長した支持アーム、１３はドクターチェアーで、該ドクターチェアー１３は、支持アーム１２の先端部において、回動支持機構１４により、矢印Ａ方向に回動自在に支持されている。すなわち、ドクターチェアー１３は、歯科治療椅子１を倒（寝）状態にした時の安頭台８を中心とするまわりに回動できるようになっている。なお、好ましくは、支持アーム１２は矢印Ｂ方向に移動可能に設けられており、術者の好みに応じて（或いは、術者の体形に応じて）、支持アーム１２の延出長さを調節して、術者と患者の頭部との間隔を調整可能にしている。
【００１４】
ドクターチェアー１３は、回転支持機構１４から延長し、安頭台８からの距離をとるための水平アーム部１５ａとドクターチェアー１３を所定の高さに支持するための支柱部１５ｂとからなるチェアー脚アーム１５に支持されており、この支柱部１５ｂにドクター用インスツルメントホルダー１６が矢印Ｃ方向に回動自在に取り付けられており、更には、アシスタント用インスツルメントホルダー１７も矢印Ｄ方向に回動自在に取り付けられている。従って、術者が、ドクターチェアー１３に座ったままの状態で、患者の口腔のまわりで、矢印Ａ方向に移動しても、ドクター用インスツルメントホルダー１６が術者の移動に追従してくるので、術者はいつでも移動することなく、その場にいて、所望のインスツルメント７をインスツルメントホルダー１６から取り出して使用することができる。
【００１５】
また、回転支持機構１４は、ロック（ブレーキ）機構を有し、椅子（チェアー）１３に荷重がかかっている時、すなわち、チェアー１３に術者が座っている時は、ロック機構を解除して、術者が自由に移動できるようにし、荷重がかかっていない時、すなわち、チェアー１３に術者が座っていない時は、チェアー１３の回動を阻止し、診療室内の掃除を行う時など、清掃人がドクターチェアー１３に当っても、該ドクターチェアーが移動しないようにして、他の器物を破損しないようにしている。
【００１６】
図３は、ドクター用インスツルメントホルダー１６の一例を説明するための概略構成図で、ドクター用インスツルメントホルダー１６は、本発明によるドクターチェアー１３と協働して使用するものであるため、図３に示すように、インスツルメント（ハンドピース）７は、術者から遠い方にヘッドを向けて載置されており、術者は、インスツルメントホースのある側からインスツルメント８を取るようになっている。このように、インスツルメント７の先端が術者（ドクター）に向かないようにすることで、術者の手がインスツルメント７の刃物に当って怪我をするような事故をなくすことができる。
【００１７】
図４は、ドクター用インスツルメントホルダーの他の例を説明するための要部概略構成図で、この例は、インスツルメント７の先端（ヘッド部）を下にして懸架する場合の例を示し、図示のように、刃物のあるヘッド部を下に向けて懸架しておき、刃物のない上方（インスツルメントホース側）を持って取り出すようにすることにより、インスツルメント７を取り出す時に、術者の手がインスツルメント７の刃物に当るようなことがなくなり、術者は、安全にインスツルメント７をインスツルメントホルダー１６から取り出し、或いは、インスツルメントホルダーに懸架することができる。
【００１８】
【発明の効果】
以上の説明から明らかなように、本発明によると、術者は、患者の頭部（口腔）のまわりをドクターチェアーに座ったままの状態で容易に移動することができ、治療しやすい位置に容易に移動することができる。また、術者の移動に追従してインスツルメントホルダーも移動するので、術者は、常にその場にいて、つまり、移動することなく、所望のインスツルメントを取り出すことができる。更には、インスツルメントホルダーにはインスツルメントを取り出しやすい状態で、しかも、取り出す時に刃物が術者に当らない状態で収納されているので、安全にインスツルメントを取り出すことができる。
【図面の簡単な説明】
【図１】本発明による歯科治療用ドクターチェアーの一実施例を説明するための全体概略構成図である。
【図２】ドクターチェアー部の拡大概略構成図である。
【図３】ドクター用インスツルメントホルダー（横置き式）の一例を示す図である。
【図４】ドクター用インスツルメントホルダー（縦置き式）の一例を示す図である。
【図５】従来の歯科用治療ユニットの一例を説明するための図である。
【符号の説明】
１…歯科治療椅子、８…安頭台、１１…歯科治療椅子の基台、１２…ドクターチェアー支持アーム、１３…ドクターチェアー、１４…回転支持機構、１５…ドクターチェアー脚アーム、１６…ドクター用インスツルメントホルダー、１７…アシスタント用インスツメントホルダー。
【図１】
2004188041.tif 000003
【図２】
2004188041.tif 000004
【図３】
2004188041.tif 000005
【図４】
2004188041.tif 000006
【図５】
2004188041.tif 000007